(57)【要約】【課題】被写体画像の表示と撮影情報等の表示が見え難くなることなく、使い勝手のよいライブビュー表示機能を有するファインダ装置及びカメラを提供することである。【解決手段】デジタルカメラに於いて、フォーカシングスクリーン５６に被写体像が結像され、このフォーカシングスクリーン５６の近傍に配置されたＬＣＤ表示パネル６４に情報表示が行われる。これらフォーカシングスクリーン５６上の被写体像とＬＣＤ表示パネル６４による表示は、ファインダ光学系５０により観察される。一方、上記フォーカシングスクリーン５６上の被写体像を含むファインダ画像は表示用撮像素子６１で撮像され、この撮像された画像は液晶モニタ３６に表示される。そして、上記表示用撮像素子６１による撮像動作の際には、ＬＣＤ表示パネル６４の表示を消灯する。【選択図】      図３
2006339902.tif 000002
【特許請求の範囲】
【請求項１】
被写体像を結像するスクリーンマットと、
上記スクリーンマット上、若しくはその近傍に於いて、情報表示を行う情報表示手段と、
上記スクリーンマット上の被写体像及び上記情報表示手段による表示を観察するための接眼光学系と、
上記スクリーンマット上の被写体像を含むファインダ画像を撮像する撮像手段と、
上記撮像手段で撮像した画像を表示する画像表示手段と、
を具備し、
上記撮像手段による撮像動作の際には、上記情報表示手段の表示を不可視にすることを特徴とするファインダ装置。
【請求項２】
上記情報表示手段は、上記スクリーンマット上に投光するスーパーインポーズ用投光素子を含むことを特徴とする請求項１に記載のファインダ装置。
【請求項３】
上記情報表示手段は、上記スクリーンマットに隣接するＬＣＤ表示素子と、該ＬＣＤ表示素子を照明するバックライト素子とを含むことを特徴とする請求項１に記載のファインダ装置。
【請求項４】
上記情報表示手段は、合焦ポイント若しくは撮影情報を表示することを特徴とする請求項１に記載のファインダ装置。
【請求項５】
上記画像表示手段は、上記情報表示手段で表示されるべき情報を、上記ファインダ画像に合成して表示することを特徴とする請求項１に記載のファインダ装置。
【請求項６】
上記画像表示手段は、上記接眼光学系を介して観察可能なファインダ像を模した形態で表示することを特徴とする請求項５に記載のファインダ装置。
【請求項７】
請求項１乃至６項に記載のファインダ装置を有することを特徴とするカメラ。
【請求項８】
被写体像を結像するスクリーンマットと、
上記スクリーンマット上、若しくはその近傍に配置されて情報表示を行う情報表示手段と、
上記スクリーンマット上の被写体像及び上記情報表示手段による表示を観察するためのファインダ光学系と、
上記スクリーンマット上の被写体像を含むファインダ画像を撮像する撮像手段と、
上記撮像手段で撮像した画像を表示する画像表示手段と、
上記撮像手段により撮像動作を行う際に、上記情報表示手段の表示を行わないように制御する制御手段と、
を具備することを特徴とするカメラ。
【請求項９】
上記情報表示手段は、上記スクリーンマット上に投光するスーパーインポーズ用投光素子を含み、
上記制御手段は、上記撮像動作の際には上記バックライト素子を消灯する制御を行うことを特徴とする請求項８に記載のカメラ。
【請求項１０】
上記情報表示手段は、上記スクリーンマットに隣接して配置されたＬＣＤ表示素子と、該ＬＣＤ表示素子を照明するバックライト素子とを含み、
上記制御手段は、上記撮像動作の際には上記バックライト素子を消灯する制御を行うことを特徴とする請求項８に記載のカメラ。
【請求項１１】
上記情報表示手段は、合焦ポイント若しくは撮影情報を表示することを特徴とする請求項８に記載のカメラ。
【請求項１２】
上記画像表示手段は、上記情報表示手段で表示されるべき情報を、上記ファインダ画像に合成して表示することを特徴とする請求項８に記載のカメラ。
【請求項１３】
上記画像表示手段は、上記ファインダ光学系を介して観察可能なファインダ像を模した形態で表示することを特徴とする請求項１２に記載のカメラ。
【発明の詳細な説明】
【技術分野】
【０００１】
本発明はファインダ装置に関し、より詳細には観察中の画像と撮影中の画像とを表示画面に表示可能なデジタルカメラのファインダ装置の改良に関するものである。
【背景技術】
【０００２】
従来より、撮影レンズ等の撮影光学系により結像される被写体像を、撮像素子によって光電変換し、これにより得られた画像信号に基づいて液晶モニタ等の画像表示装置に表示するデジタルカメラが一般的に知られている。
【０００３】
こうした被写体像を表示するカメラとしては、ファインダ光学系内にハーフミラーを配置し、ライブビュー表示用の撮像素子に被写体光束を導くカメラが知られている。この場合、ライブビューモードでは、撮像素子によって繰り返し撮像を行い、表示装置に表示するものである（例えば、特許文献１参照）。
【０００４】
また、ファインダスクリーンを、別の撮像素子でモニタするという技術も知られている（例えば、特許文献２参照）。
【特許文献１】特開２０００−１６５７３０号公報
【特許文献２】特開平１０−１４２６８５号公報
【発明の開示】
【発明が解決しようとする課題】
【０００５】
従来の一眼レフレックスタイプのカメラ（以下、単に一眼レフカメラと略記する）に於いては、ファインダ内に多点測距の合焦ポイントを表示するためのスーパーインポーズ表示や、撮影情報の表示を行うのが一般的であった。
【０００６】
ところが、上述した特許文献１に記載のカメラでは、撮影情報等を被写体像と同時に表示装置に表示するものではなかった。
【０００７】
また、上記特許文献２に記載の技術のように、ファインダスクリーンを別の撮像素子でモニタすると、ファインダ内の表示の輝度と被写界輝度とが合わないことがある。そのため、上述した撮影情報等の表示が弱すぎて見え難かったり、強すぎてにじんでしまって見え難かったりすることがあった。更に、スーパーインポーズ表示は、輝度が明るすぎて撮像した画像が白飛びしてしまうことがあった。
【０００８】
したがって、本発明の目的は、被写体画像の表示と撮影情報等の表示が見え難くなることなく、使い勝手のよいライブビュー表示機能を有するファインダ装置及びカメラを提供することである。
【課題を解決するための手段】
【０００９】
すなわち請求項１に記載の発明は、被写体像を結像するスクリーンマットと、上記スクリーンマット上、若しくはその近傍に於いて、情報表示を行う情報表示手段と、上記スクリーンマット上の被写体像及び上記情報表示手段による表示を観察するための接眼光学系と、上記スクリーンマット上の被写体像を含むファインダ画像を撮像する撮像手段と、上記撮像手段で撮像した画像を表示する画像表示手段と、を具備し、上記撮像手段による撮像動作の際には、上記情報表示手段の表示を不可視にすることを特徴とする。
【００１０】
請求項２に記載の発明は、請求項１に記載の発明に於いて、上記情報表示手段は、上記スクリーンマット上に投光するスーパーインポーズ用投光素子を含むことを特徴とする。
【００１１】
請求項３に記載の発明は、請求項１に記載の発明に於いて、上記情報表示手段は、上記スクリーンマットに隣接するＬＣＤ表示素子と、該ＬＣＤ表示素子を照明するバックライト素子とを含むことを特徴とする。
【００１２】
請求項４に記載の発明は、請求項１に記載の発明に於いて、上記情報表示手段は、合焦ポイント若しくは撮影情報を表示することを特徴とする。
【００１３】
請求項５に記載の発明は、請求項１に記載の発明に於いて、上記画像表示手段は、上記情報表示手段で表示されるべき情報を、上記ファインダ画像に合成して表示することを特徴とする。
【００１４】
請求項６に記載の発明は、請求項５に記載の発明に於いて、上記画像表示手段は、上記接眼光学系を介して観察可能なファインダ像を模した形態で表示することを特徴とする。
【００１５】
請求項７に記載の発明は、請求項１乃至６項に記載のファインダ装置を有することを特徴とする。
【００１６】
請求項８に記載の発明は、被写体像を結像するスクリーンマットと、上記スクリーンマット上、若しくはその近傍に配置されて情報表示を行う情報表示手段と、上記スクリーンマット上の被写体像及び上記情報表示手段による表示を観察するためのファインダ光学系と、上記スクリーンマット上の被写体像を含むファインダ画像を撮像する撮像手段と、上記撮像手段で撮像した画像を表示する画像表示手段と、上記撮像手段により撮像動作を行う際には、上記情報表示手段を表示させないように制御する制御手段と、を具備することを特徴とする。
【００１７】
請求項９に記載の発明は、請求項８に記載の発明に於いて、上記情報表示手段は、上記スクリーンマット上に投光するスーパーインポーズ用投光素子を含み、上記制御手段は、上記撮像動作の際には上記バックライト素子を消灯する制御を行うことを特徴とする。
【００１８】
請求項１０に記載の発明は、請求項８に記載の発明に於いて、上記情報表示手段は、上記スクリーンマットに隣接して配置されたＬＣＤ表示素子と、該ＬＣＤ表示素子を照明するバックライト素子とを含み、上記制御手段は、上記撮像動作の際には上記バックライト素子を消灯する制御を行うことを特徴とする。
【００１９】
上記情報表示手段は、上記スクリーンマット上に投光するスーパーインポーズ用投光素子を照明するバックライト素子を含むことを特徴とする。
【００２０】
請求項１０に記載の発明は、請求項８に記載の発明に於いて、上記情報表示手段は、上記スクリーンマットに隣接して配置されたＬＣＤ表示素子と、該ＬＣＤ表示素子を照明するバックライト素子とを含むことを特徴とする。
【００２１】
請求項１１に記載の発明は、請求項８に記載の発明に於いて、上記情報表示手段は、合焦ポイント若しくは撮影情報を表示することを特徴とする。
【００２２】
請求項１２に記載の発明は、請求項８に記載の発明に於いて、上記画像表示手段は、上記情報表示手段で表示されるべき情報を、上記ファインダ画像に合成して表示することを特徴とする。
【００２３】
請求項１３に記載の発明は、請求項１２に記載の発明に於いて、上記画像表示手段は、上記ファインダ光学系を介して観察可能なファインダ像を模した形態で表示することを特徴とする。
【発明の効果】
【００２４】
本発明によれば、被写体画像の表示と撮影情報等の表示が見え難くなることなく、使い勝手のよいライブビュー表示機能を有するファインダ装置及びカメラを提供することができる。
【発明を実施するための最良の形態】
【００２５】
以下、図面を参照して、本発明の実施形態を説明する。
【００２６】
図１は、本発明の一実施形態を示すもので、本発明のファインダ装置が適用された一眼レフレックスタイプのデジタルカメラの構成を示す外観斜視図である。
【００２７】
図１に於いて、この一眼レフレックスタイプのデジタルカメラ（以下、カメラと略記する）１は、交換レンズとしてのレンズ鏡筒１０と、カメラ本体３０から主に構成されており、該カメラ本体３０の前面に対して、所望のレンズ鏡筒１０が着脱自在に設定されている。  
カメラ本体３０の上面には、レリーズ釦３１と、モードダイヤル３２と、パワースイッチレバー３３と、コントロールダイヤル３４等が設けられている。
【００２８】
レリーズ釦３１は、撮影準備動作及び露光動作を実行させるための釦である。このレリーズ釦３１は、第１レリーズスイッチと第２レリーズスイッチの２段式のスイッチで構成されており、レリーズ釦３１が半押し操作されることによって、第１レリーズスイッチがオンされて測光処理や測距処理などの撮影準備動作が実行される。また、レリーズ釦３１が全押し操作されることによって、第２レリーズスイッチがオンされて露光動作が実行される。
【００２９】
モードダイヤル３２は、撮影時の撮影モードを設定するための操作部材である。このモードダイヤル３２が所定方向に回転操作されることによって、撮影時の撮影モードが設定される。本実施形態に於いては、後述する液晶モニタに表示される画像を、ファインダビューとライブビューとで切り換える機能も有している。パワースイッチレバー３３は、当該カメラ１の電源のオン／オフをするための操作部材である。このパワースイッチレバー３３が回動操作されることにより、当該カメラ１のメイン電源のオン／オフが切り換えられる。
【００３０】
コントロールダイヤル３４は、撮影情報の設定を行うための部材である。このコントロールダイヤル３４が操作されることにより、撮影時に種々の設定が行われる。
【００３１】
ボディユニット３０の背面部には、撮影画像やメニュー等を表示するための液晶モニタ３６と、再生釦３７と、メニュー釦３８と、十字キー４０と、ＯＫ釦４１と、接眼光学系のファインダ４３等が配置されている。
【００３２】
上記再生釦３７は、カメラ１の動作モードを、後述するＦｌａｓｈＲＯＭ８４や記録メディア８５に記録されたＪＰＥＧファイルから画像を再生できる再生モードに切り換えるための釦である。メニュー釦３８は、液晶モニタ３６にメニュー画面を表示させるための釦である。このメニュー画面は、複数の階層構造から成るメニュー項目によって構成されている。ユーザは、所望のメニュー項目を十字キー４０で選択することができ、ＯＫ釦４１で選択した項目を決定することができる。
【００３３】
図２は、本発明の一実施形態に於けるカメラのファインダ光学系の構成を示す斜視図である。
【００３４】
ファインダ光学系５０は、レンズ鏡筒内の撮影レンズ１１を通過した被写体からの光束を、上記ファインダ４３を構成する接眼レンズ５７へと導くための複数のミラー、すなわち第１反射ミラー５１、第２反射ミラー５２、第３反射ミラー５３、第４反射ミラー５４と、フォーカシングスクリーン（スクリーンマット）５６と、接眼レンズ５７とを有して構成される。
【００３５】
上記第１反射ミラー５１は軸５１ａを中心に図示矢印Ａ方向に回動可能に構成されるもので、その一部が後述するＡＦセンサユニット７１のためにハーフミラーで構成されている。第１反射ミラー５１は、被写体の観察時は図示の如く、撮影レンズ１１から入射された光束を、撮影レンズ１１の光軸に対し略９０°の角度である第２反射ミラー５２の方向、すなわちカメラ本体３０のレンズ鏡筒１０側より見て右方向に反射する。そして、撮像時は、撮影光路より退避されて、被写体からの光束が、第１反射ミラー５１の後方に配置される撮像素子（図示せず）に導かれるように動作する。
【００３６】
上記第１反射ミラー５１の反射面で反射された光束は、フォーカシングスクリーン５６を介して第２反射ミラー５２に入射する。この第２反射ミラー５２は、上記第１反射ミラー５１からの反射光軸上であって、その反射面が上記第１反射ミラー５１の反射光軸に対し、所定の角度だけ傾いて配置されている。第２反射ミラー５２に入射された上記第１反射ミラー５１からの反射光束は、該第１反射ミラー５１からの反射光軸に対し略９０°の角度、すなわちカメラ本体３０の上方に向けて反射される。
【００３７】
上記第２反射ミラー５２の反射面で反射された光束は、該第２反射ミラー５２の反射面の反射光軸上であって、その反射面が第２の反射面の反射光軸に対し所定の角度だけ傾いて配置される第３反射ミラー５３に入射される。第３反射ミラー５３に入射された第２反射ミラー５２からの反射光束は、第３反射ミラー５３の反射面にて、上記第２反射ミラー５２の反射面からの反射光軸に対し略９０°の角度であって、上記第１反射ミラー５１の反射面による反射方向と相反する方向に反射される。つまり、第２反射ミラー５２の反射面からの反射光束は、第３反射ミラー５３の反射面にて、カメラ本体３０の左方向に向けて反射される。換言すれば、第１反射ミラー５１の反射面にて反射された光束は、第２、第３反射ミラー５２、５３によって折り返すように導かれ、第３反射ミラー５３の反射面の反射光軸は、上記第１反射ミラー５１の反射面の反射光軸と略平行となって第４反射ミラー５４に向かう。
【００３８】
上記第３反射ミラー５３の反射面で反射された光束は、該第３反射ミラー５３の反射面の反射光軸上であって、その反射面が上記第３反射ミラー５３の反射面の反射光軸に対し所定の角度だけ傾いて配置される第４反射ミラー５４に入射される。そして、第４反射ミラー５４に入射された上記第３反射ミラー５３からの反射光束は、第４反射ミラー５４の反射面にて、上記第３反射ミラー５３からの反射光軸に対し略９０°の角度に反射される。つまり、第３反射ミラー５３の反射面からの反射光束は、第４反射ミラーの反射面の反射光軸上に配置された接眼レンズ５７に入射される。
【００３９】
上記フォーカシングスクリーン５６は、上述したファインダ光学系５０に入射された光束を光学像として結像させるために、該光束を拡散させる拡散面を有するもので、後述する撮影用撮像素子６７の撮像面上と光学的に等価な位置に配置されている。更に、フォーカシングスクリーン５６に隣接して、撮影情報等を表示するための表示用ＬＣＤ１０４及びこの表示用ＬＣＤ１０４を照明するバックライト６３が配設されている。
【００４０】
また、上記第２反射ミラー５２と第４反射ミラー５４は、ハーフミラーで構成されている。第２反射ミラー５２の反射面の裏面側には、ＡＦ測距ポイントインジケータ６５が配置されている。このＡＦ測距ポイントインジケータ６５は、画面の何処に合焦点があるかをスーパーインポーズ表示するためのものである。一方、第４反射ミラー５４の反射面の裏面側には、結像レンズ６０及び表示用撮像素子６１が配設されている。この表示用撮像素子６１は、フォーカシングスクリーン５６上の像を、結像レンズ６０を介して結像するためのものである。したがって、表示用撮像素子６１に結像された像は反転しているものの、観察者の目５８が見ている像と同じものとなる。
【００４１】
このように、撮影レンズ１１からの被写体光束は、上述した第１乃至第４反射ミラー５１〜５４によって、その像が正立正像となるように反転されて接眼レンズ５７に導かれる。これにより、接眼レンズ５７（ファインダ４３）を通して、撮影者の眼５８でフォーカシングスクリーン５６上に結像した被写体像が観察可能となる。
【００４２】
尚、本実施形態では、第１反射ミラー５１、第２反射ミラー５２、第３反射ミラー５３及び第４反射ミラー５４は、入射光束に対して略９０°の角度で反射するように配置しているが、これに限られるものではない。
【００４３】
図３は、本発明の一実施形態に係るカメラのシステム構成を示すブロック図である。
【００４４】
図３に於いて、上記レンズ鏡筒１０は、上記カメラ本体３０の前面に設けられた、図示されないレンズマウントを介して着脱自在に装着可能である。そして、上記レンズ鏡筒１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００４５】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ２０を介して、後述するボディ制御用マイクロコンピュータ８０と電気的に接続がなされ、該ボディ制御用マイクロコンピュータ８０の指令に従って制御される。
【００４６】
一方、カメラ本体３０は、以下のように構成されている。
【００４７】
レンズ鏡筒１０内の撮影レンズ１１、絞り１２を介して入射される図示されない被写体からの光束は、可動ミラーである第１反射ミラー５１で反射され、フォーカシングスクリーン５６、更に上記第１反射ミラー５１と共にファインダ光学系５０を構成する第２乃至第４反射ミラー５２〜５４（図２参照）等を介して、接眼レンズ５７に至る。また、第１反射ミラー５１のハーフミラーの部分を透過した被写体光束の一部は、第１反射ミラー５１とは独立して作動するサブミラー７０で反射されて、自動測距を行うためのＡＦセンサユニット７１に導かれる。尚、図３に於いては、第１反射ミラー５１は別に示されているが、第２乃至第４の反射ミラー等と共にファインダ光学系５０を構成しているものである。
【００４８】
光軸上で上記第１反射ミラー５１の後方には、フォーカルプレーン式のシャッタ６６と、光学系を通過した被写体像を光電変換するための撮像光学系の光電変換素子であり、ＣＣＤ等で構成される撮影用撮像素子６７が設けられている。つまり、第１反射ミラー５１が撮影光路より退避した場合、撮影レンズ１１及び絞り１２を通った光束は、撮影用撮像素子６７の撮像面上に結像される。
【００４９】
上記フォーカシングスクリーン５６の近傍には、ＬＣＤ表示パネル６４及びそのバックライト６３が配置されている。ＬＣＤ表示パネル６４はＬＣＤドライバ６７によって駆動されるもので、バックライト６３と共に後述するボディ制御用マイクロコンピュータ８０の指令に従って制御される。
【００５０】
また、上述したように、ファインダ光学系５０には、第２反射ミラー５２の近傍にＡＦ測距ポイントインジケータ６５を構成する例えば３色のＬＥＤ６５ａ〜６５ｃが、そして第４反射ミラー５４の近傍に表示用撮像素子６１が配設されている。上記ＬＥＤ６５ａ〜６５ｃは、上記ＬＣＤ表示パネル６４及びバックライト６３と共にボディ制御用マイクロコンピュータ８０に接続されるもので、その指令に従って制御される。
【００５１】
上記表示用撮像素子６１と上記撮影用撮像素子６７は、インターフェイス回路８１を介して、画像処理を行うための画像処理コントローラ８２に接続されている。そして、この画像処理コントローラ８２には、上述した液晶モニタ３６と、記憶領域として設けられたＳＤＲＡＭ８３、ＦｌａｓｈＭｅｍｏｒｙ８４及び記録メディア８５等が接続されている。これらは、電子撮像機能と共に電子記録表示機能を提供できるように構成されている。
【００５２】
上記記録メディア８５は、図示されないカメラのインターフェイスを介してカメラ本体３０に対し脱着可能な各種のメモリカードや外付けのハードディスクドライブ（ＨＤＤ）等の外部記録媒体である。
【００５３】
上記画像処理コントローラ８２は、図示されない測光センサを含む測光回路８７と、ＡＦセンサ駆動回路７２と、ミラー駆動機構７３と、シャッタチャージ機構７５と、シャッタ制御回路７６と、不揮発性メモリ（ＥＥＰＲＯＭ）８８と共に、このカメラ本体３０内の各部を制御するためのボディ制御用マイクロコンピュータ（以下、Ｂμｃｏｍと略記する）８０に接続されている。
【００５４】
上記Ｂμｃｏｍ８０には、更に、当該カメラの動作状態を表示出力によって撮影者へ告知するための動作表示用ＬＣＤ９０と、カメラ操作スイッチ（ＳＷ）９１と、電源回路９２を介して電池９３とが接続されている。
【００５５】
尚、上記Ｂμｃｏｍ８０とＬμｃｏｍ１５とは、レンズ鏡筒１０の装着時に於いて、通信コネクタ２０を介して通信可能に電気的接続がなされる。そして、デジタルカメラとして、Ｌμｃｏｍ１５がＢμｃｏｍ８０に従属的に協働しながら稼動するようになっている。
【００５６】
上記ＡＦセンサ駆動回路７２は上記ＡＦセンサユニット７１を駆動制御するための回路であり、ミラー駆動機構７３は第１反射ミラー５１を駆動制御する機構である。また、シャッタチャージ機構７５は、上記シャッタ６６を構成する図示されない先幕と後幕を駆動するばねをチャージするものである。シャッタ制御回路７６は、上記シャッタ６６の先幕と後幕の動きを制御すると共に、Ｂμｃｏｍ８０との間でシャッタの開閉動作を制御する信号とストロボと同調する信号の授受を行う。また、上記測光回路８７は、図示されない測光センサの電気信号に基づいて測光処理する回路である。
【００５７】
不揮発性メモリ８８は、上述したＳＤＲＡＭ８３、ＦｌａｓｈＭｅｍｏｒｙ８４、記録メディア８５以外の記憶領域として、カメラ制御に必要な所定の制御パラメータを記憶する記憶手段であり、Ｂμｃｏｍ８０からアクセス可能に設けられている。
【００５８】
動作表示用ＬＣＤ９０は、当該カメラの動作状態を表示出力によってユーザへ告知するためのものである。上記カメラ操作スイッチ９１は切り換え手段として、例えば撮影動作の実行を指示すると共に後述するように第１反射ミラー５１を撮影光路の内外に切り換えるレリーズスイッチ、撮影モードと画像表示モードを切り換えるモード変更スイッチ及びパワースイッチ、等、当該カメラを操作するために必要な操作釦を含むスイッチ群で構成される。更に、電源回路９２は、電源としての電池９３の電圧を、当該カメラシステムの各回路ユニットが必要とする電圧に変換して供給するために設けられている。
【００５９】
次に、図４及び図５のタイミングチャートと図６及び図７の各モード時の表示の対応図を参照して、本実施形態に於けるカメラの基本的な撮影動作について説明する。
【００６０】
図４は、本実施形態に於いてライブビューモードのカメラの動作を説明するタイミングチャートであり、図５は本実施形態に於いてファインダビューモードのカメラの動作を説明するタイミングチャートである。尚、図４及び図５のタイミングチャートに於いて、ＡＥは自動露出、ＡＦは自動焦点調節、ＥＸＰは本露光、ＭＵ及びＭＤは第１反射ミラー５１のミラー退避及び復帰、ＳＣはシャッタチャージ、Ｅ１は露出情報、Ｐは画像処理、Ｐ１は撮影用撮像素子６７の画像、Ｄ１は表示用撮像素子６１の画像を、それぞれ表している。また、図６はライブビューモード（Ｌモード）時の各操作と表示の対応を示した図、図７はファインダモード（Ｆモード）時の各操作と表示の対応を示した図である。
【００６１】
先ず、ライブビューモード時の撮影動作について説明する。  
カメラ１のパワースイッチレバー３３が操作されて電源がオンされると、図示されない測光センサ及びＡＦセンサユニット７１によって、所定間隔でＡＥ及びＡＦのシーケンスが繰り返し実行される。そして、所定のタイミングでモードダイヤル３２の操作によってライブビューモードに切り換えられると、表示用撮像素子６１が稼働して、撮像された画像の画像処理が行われて、その画像（被写界画像）が液晶モニタ３６に表示されるようになる。以降、これらの処理が繰り返される。尚、このときファインダ内のＬＣＤ表示パネル６４は消灯状態となっている。
【００６２】
そして、レリーズ釦３１が半押しされることによってファーストレリーズスイッチ（１ＲＳＷ）がオンされると、撮影準備動作に入る。すなわち、撮影レンズ１１が駆動されて合焦動作が行われる。そして、この状態でレリーズ釦３１の全押し操作であるセカンドレリーズスイッチ（２ＲＳＷ）がオンになるまで待機する。このとき、液晶モニタ３６には、表示用撮像素子６１の画像（被写界画像）と露出情報が表示されるが、ＬＣＤ表示パネル６４は消灯状態である。
【００６３】
セカンドレリーズスイッチがオンされたならば、第１反射ミラー５１が撮影光路から退避されて本露光による絞り込みが行われる。同時に、撮影用撮像素子６７内の電荷の消去動作（ＦＬＵＳＨ）が行われ、上記本露光が行われた後に取り込んだ画像のデータ読み込み及び画像処理がなされる。この間、液晶モニタ３６には表示用撮像素子６１の画像のみが表示される。一方、上記画像処理後、液晶モニタ３６には、撮影用撮像素子６７で撮像された画像（レックビュー）が、所定期間表示される。このとき、ＬＣＤ表示パネル６４は消灯状態である。
【００６４】
また、上記本露光終了後は、第１反射ミラー５１が撮影光路内に復帰され、シャッタチャージ機構７５によるシャッタチャージが行われる。そして、シャッタチャージ後、再び所定間隔でＡＥ及びＡＦのシーケンスが繰り返し実行される。これに伴い、表示用撮像素子６１が稼働して、撮像された画像の画像処理が行われて、その画像（被写界画像）が液晶モニタ３６に表示されるようになる。以降、これらの処理が繰り返される。尚、このときファインダ内のＬＣＤ表示パネル６４は消灯状態となっている。
【００６５】
その後、所定期間が経過すると、再び表示用撮像素子６１で取り込まれた画像及び露出情報が、液晶モニタ３６に表示されるようになる。ここで、セカンドレリーズスイッチ及びファーストレリーズスイッチがオフにされると、ファーストレリーズスイッチがオフにされてから所定期間、この場合８秒間は、継続して表示用撮像素子６１の画像と露出情報が液晶モニタ３６に表示される。そして、この８秒間が経過すると、液晶モニタ３６には表示用撮像素子６１の画像のみが表示されるようになる。
【００６６】
このように、ライブビューモード時はファインダ内のＬＣＤ表示パネル６４及びバックライト６３は、何れのタイミングでも消灯された状態である。
【００６７】
次に、ファインダビューモード時の撮影動作について説明する。  
先ず、カメラ１のパワースイッチレバー３３が操作されて電源がオンされると、図示されない測光センサ及びＡＦセンサユニット７１によって、所定間隔でＡＥ及びＡＦのシーケンスが繰り返し実行される。このとき、カメラ本体３０の背面部に設けられた液晶モニタ３６には、露出情報が表示される。このとき、ファインダ内のＬＣＤ表示パネル６４は消灯状態となっている。そして、所定のタイミングでレリーズ釦３１が半押しされることによってファーストレリーズスイッチがオンされると、撮影準備動作に入る。すなわち、撮影レンズ１１が駆動されて合焦動作が行われ、合焦範囲内になったならばＬＣＤ表示パネル６４及びバックライト６３が点灯されて露出情報がファインダ内に表示される。そして、この状態でレリーズ釦３１の全押しであるセカンドレリーズスイッチ（２ＲＳＷ）がオンになるまで待機する。この撮影準備動作の間は、液晶モニタ３６には何も表示されない。
【００６８】
次いで、セカンドレリーズスイッチがオンされたならば、第１反射ミラー５１が撮影光路から退避されて絞り駆動機構１４により絞り込みが行われる。同時に、撮影用撮像素子６７内の電荷を消去する動作が行われ、その後シャッタ制御回路７６により、フォーカルプレーンシャッタ６６の先幕と後幕を走行させ、本露光を行う。本露光が行われた後に取り込んだ画像のデータ読み込み及び画像処理がなされる。また、本露光終了後は、第１反射ミラー５１が撮影光路内に復帰され、シャッタチャージ機構７５によるシャッタチャージが行われる。一方、液晶モニタ３６には、画像処理が施されるまでは、上述した他撮影準備動作に引続いて何も表示されない。画像処理がなされた後に撮影用撮像素子６７の画像（レックビュー）が、所定期間表示される。
【００６９】
また、セカンドレリーズスイッチがオンされると、ＬＣＤ表示パネル６４及びバックライト６３は消灯状態になる。そして、再び所定間隔でＡＥ及びＡＦのシーケンスが繰り返し実行されると、ＬＣＤ表示パネル６４及びバックライト６３が点灯されて露出情報が表示される。ここで、セカンドレリーズスイッチ及びファーストレリーズスイッチがオフにされると、ファーストレリーズスイッチがオフにされてから所定期間、この場合８秒間は、継続してＬＣＤ表示パネル６４及びバックライト６３が点灯され続ける。そして、この８秒間が経過すると、ＬＣＤ表示パネル６４及びバックライト６３が消灯されるようになる。
【００７０】
このように、ファインダモード時は、ファーストレリーズスイッチの押下中の撮影待機中と該ファーストレリーズスイッチをオフにしてからの所定時間のみ、ファインダ内の表示がなされるようになっている。
【００７１】
図８は、ライブビューモードでの液晶モニタ３６の表示画面の例を示した図である。
【００７２】
図８に於いて、液晶モニタ３６に表示される画像１００は、撮影用撮像素子６７によって取り込まれた画像１０１と、種々の撮影情報１０３によって構成される。
【００７３】
図９は、ファインダ内の表示例を示したもので、（ａ）はフォーカシングスクリーン５６に対応した表示画面１０４の例を示した図、（ｂ）はＬＣＤ表示パネル６４の表示例を示した図である。
【００７４】
図９（ａ）に示されるように、上記表示画面１０４は、表示用撮像素子６１で撮影された画像の表示部１０５とＬＣＤパネル６４に表示された撮影情報の表示部１０７との合成である。上記表示部１０５の略中央部には、ＡＦ測距を行う際に使用されるＡＦフレーム１０６が設けられている。一方、表示部１０７は、図９（ｂ）に示されるように、種々の撮影情報を表示するための複数のマークより成っている。
【００７５】
図９（ｂ）に於いて、１１０は絞り値を表すマーク、１１１はシャッタ速度／画質モードを表すマーク、１１２は合焦マーク、１１３はフラッシュを表すマーク、１１４はホワイトバランスを表すマーク、１１５はＡＥロックを表すマーク、１１６は露出補正値を表すマーク、１１７は測光モードを表すマーク、１１８は電池残量を表すマーク、そして１１９は露出モードを表すマークである。
【００７６】
ライブビューモード時は、これらの表示部１０５及び１０７に対応した表示が、図８に示されるように、液晶モニタの画面１００内に画像１０１と撮影情報１０３として表示される。
【００７７】
図１０は、液晶モニタ３６に露出情報のみが表示された際の表示例を示した図である。
【００７８】
図１０に於いて、１２１は電池残量を表すマーク、１２２は露出モードを表すマーク、１２３はシャッタ速度を表すマーク、１２４は絞り値を表すマーク、１２５は露出補正値を表すマーク、１２６はノイズリダクション（ノイズ除去）を表すマーク、１２７はＡＥロックを表すマーク、１２８は測光モードを表すマーク、１２９は露出補正インジケータ及び露出レベルインジケータを表すマークである。また、１３１はフラッシュモード等を表すマーク、１３２はＡＦフレームを表すマーク、１３３はドライブモード等を表すマーク、１３４は画質モード等を表すマーク、１３５はＩＳＯ感度を表すマーク、１３６はホワイトバランスを表すマーク、１３７はカラー設定等を表すマーク、そして１３８は残り撮影枚数を表すマークである。
【００７９】
このように、フォーカシングスクリーン５６上の画像を表示用撮像素子６１で撮像する際に、ＬＣＤ表示パネル６４の表示情報を消して撮像する。そして、その画像を液晶モニタ３６に表示する際には、ＬＣＤ表示パネル６４に表示されるべき情報と合成し、ファインダ内で観察できる像を模した形態で合成して表示するようにしたので、撮影画像と撮影情報等の表示が見え難くなることを防止することができる。
【００８０】
以上、本発明の実施形態について説明したが、本発明は上述した実施形態以外にも、本発明の要旨を逸脱しない範囲で種々の変形実施が可能である。
【図面の簡単な説明】
【００８１】
【図１】本発明の一実施形態を示すもので、本発明のファインダ装置が適用された一眼レフレックスタイプのデジタルカメラの構成を示す外観斜視図である。
【図２】本発明の一実施形態に於けるカメラのファインダ光学系の構成を示す斜視図である。
【図３】本発明の一実施形態に係るカメラのシステム構成を示すブロック図である。
【図４】本発明の一実施形態に於いてライブビューモードのカメラの動作を説明するタイミングチャートである。
【図５】本発明の一実施形態に於いてファインダビューモードのカメラの動作を説明するタイミングチャートである。
【図６】ライブビューモード（Ｌモード）時の各操作と表示の対応を示した図である。
【図７】ファインダモード（Ｆモード）時の各操作と表示の対応を示した図である。
【図８】ライブビューモードでの液晶モニタ３６の表示画面の例を示した図である。
【図９】ファインダ内の表示例を示したもので、（ａ）はフォーカシングスクリーン５６に対応した表示画面１０４の例を示した図、（ｂ）はＬＣＤ表示パネル６４の表示例を示した図である。
【図１０】液晶モニタ３６に露出情報のみが表示された際の表示例を示した図である。
【符号の説明】
【００８２】
１０…レンズ鏡筒、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…カメラ本体、３１…レリーズ釦、３２…モードダイヤル、３３…パワースイッチレバー、３４…コントロールダイヤル、３６…液晶モニタ、４３…ファインダ、５０…ファインダ光学系、５１…第１反射ミラー、５２…第２反射ミラー、５３…第３反射ミラー、５４…第４反射ミラー、５６…フォーカシングスクリーン、５７…接眼レンズ、６１…表示用撮像素子、６３…バックライト、６４…ＬＣＤ表示パネル、６５…ＡＦ測距ポイントインジケータ、６５ａ〜６５ｃ…ＬＥＤ、６６…シャッタ、６７…撮影用表示素子、７１…ＡＦセンサユニット、７２…ＡＦセンサ駆動回路、７３…ミラー駆動機構、７５…シャッタチャージ機構、７６…シャッタ制御回路、８１…インターフェイス回路、８２…画像処理コントローラ、８３…ＳＤＲＡＭ、８４…ＦｌａｓｈＲｏｍ、８５…不揮発性メモリ（ＥＥＰＲＯＭ）、９０…動作表示用ＬＣＤ、９１…カメラ操作スイッチ（ＳＷ）、９２…電源回路。
【図１】
2006339902.tif 000003
【図２】
2006339902.tif 000004
【図３】
2006339902.tif 000005
【図４】
2006339902.tif 000006
【図５】
2006339902.tif 000007
【図６】
2006339902.tif 000008
【図７】
2006339902.tif 000009
【図８】
2006339902.tif 000010
【図９】
2006339902.tif 000011
【図１０】
2006339902.tif 000012